(57)【要約】【課題】サービスに係わる処理を行う前にドッキングステーションとの間で対応可能なサービスを検索し表示する電子機器などを提供する。【解決手段】ドッキングステーション２とダイレクトにデータの送受を行う電子機器１であって、電子機器１がサポートするサービス毎に対応して作成させる仮想ファイルや、ドッキングステーション２においてメモリ２３に記憶されたファイルからドッキングステーション２がサポートするサービスに対応する仮想ファイルが検索されたときにドッキングステーション２から送信されるその検索されたサービスに対応する仮想ファイルのファイル情報などが記憶されるメモリ２３と、メモリ２３に記憶された仮想ファイルのファイル情報に応じたサービスを表示する表示部１７などを備える。【選択図】図１
2006148859.tif 000002
【特許請求の範囲】
【請求項１】
電子機器が載置できるドッキングステーションとダイレクトにデータの送受を行う電子機器であって、
当該電子機器がサポートするサービス毎に対応して作成させる仮想ファイルが記憶される第１の記憶手段と、
前記ドッキングステーションにおいて前記第１の記憶手段に記憶されたファイルから前記ドッキングステーションがサポートするサービスに対応する仮想ファイルが検索されたときに前記ドッキングステーションから送信される前記検索されたサービスに対応する仮想ファイルのファイル情報が記憶される第２の記憶手段と、
前記第２の記憶手段に記憶された前記仮想ファイルのファイル情報に応じたサービスを表示する表示手段と、
を有することを特徴とする電子機器。
【請求項２】
電子機器が載置できるドッキングステーションとダイレクトにデータの送受を行う電子機器の表示方法であって、
当該電子機器がサポートするサービス毎に対応して作成させる仮想ファイルを第１の記憶部に記憶し、
前記ドッキングステーションにおいて前記第１の記憶部に記憶されたファイルから前記ドッキングステーションがサポートするサービスに対応する仮想ファイルが検索されたときに前記ドッキングステーションから送信される前記検索されたサービスに対応する仮想ファイルのファイル情報を第２の記憶部に記憶し、
前記第２の記憶部に記憶された前記仮想ファイルのファイル情報に応じたサービスを表示する、
ことを特徴とする電子機器の表示方法。
【請求項３】
電子機器が載置されたことを検出する検出部を有するドッキングステーションとダイレクトにデータの送受を行う電子機器の表示方法であって、
電子機器が載置されたことを検出する検出部からの出力信号に基づいて当該電子機器がサポートするサービス毎に対応して作成させる仮想ファイルを第１の記憶部に記憶し、
前記ドッキングステーションにおいて前記第１の記憶部に記憶されたファイルから前記ドッキングステーションがサポートするサービスに対応する仮想ファイルが検索されたときに前記ドッキングステーションから送信される前記検索されたサービスに対応する仮想ファイルのファイル情報を第２の記憶部に記憶し、
前記第２の記憶部に記憶された前記仮想ファイルのファイル情報に応じたサービスを表示する、
ことを特徴とする電子機器の表示方法。
【請求項４】
ドッキングステーションに請求項１記載の電子機器が載置され、前記ドッキングステーションと前記電子機器との間でダイレクトにデータの送受が行われる電子機器システムであって、
前記電子機器に端子部を設けると共に、前記ドッキングステーションに、前記端子部から出力される信号を織別することにより前記ドッキングステーションに設置されている前記電子機器の向きを検出する検出部と、この検出部によって前記電子機器の表示手段が設けられている面が表面か裏面かの状態を表示する表示手段とを設けた、
ことを特徴とする電子機器システム。
【請求項５】
ホスト機能をもつ前記ドッキングステーションとデバイス機能をもつ前記電子機器とが、ハブおよび切換えスイッチを経由して接続された、
ことを特徴とする請求項４記載の電子機器システム。
【請求項６】
前記ドッキングステーションに装着され、前記ドッキングステーションを介して供給される電力によって前記電子機器内の電池を充電する、
ことを特徴とする請求項４又は５記載の電子機器システム。
【請求項７】
前記電子機器の向きを検出する検出部からの検出結果に基づいて前記電子機器に対応する機能が変更される、
ことを特徴とする請求項５記載の電子機器システム。
【請求項８】
当該電子機器は、少なくとも電子カメラ、ＰＤＡ、携帯電話機、携帯型オーディオプレーヤ、及びフォトビューワーのうちの何れか一つである、
ことを特徴とする請求項１記載の電子機器。
【発明の詳細な説明】
【技術分野】
【０００１】
本発明は、ドッキングステーション（「クレードル」ともいう）に電子機器が載置され、ドッキングステーションと電子機器との間でダイレクトにデータの送受が行われる電子機器システムに関する。
【背景技術】
【０００２】
特許文献１や特許文献２には、電子カメラとクレードルを含む電子カメラシステムが記載されている。
特許文献１の図３や図７及び段落番号［００４１］から［００４３］には、撮影レンズ１６をユーザ側に向けるように電子カメラ１４をクレードル１１に設置した場合、電子カメラ１４の制御により、撮影レンズ１６を介して撮影された映像をＴＶでモニタできるＴＶカメラ機能や所定時間ごとに撮影ができる監視機能が実現されることが示されている。また、当該文献１の段落番号［００４４］には、液晶表示部１７をユーザ側に向けるように電子カメラ１４をクレードル１１に設置した場合には電子フォトスタンド機能が実現されることが示されている。また、当該文献１の図３(a) に示されている、撮影レンズ１６をユーザ側に向けるように電子カメラ１４をクレードル１１に設置した場合や、同図(b) に示されている、液晶表示部１７をユーザ側に向けるように電子カメラ１４をクレードル１１に設置した場合の識別手段についても開示されている。
【０００３】
また、特許文献２の図２や図３及び段落番号［０００９］には、ＰＣ（パーソナルコンピュータ）からクレードルにファームウェアデータが転送され、通信ＩＦコントローラ（第２のコネクタ１１）を経由してクレードルのフラッシュＲＯＭにファームウェアデータを格納することが示されている。また、第１のコネクタ１０の「書換制御」端子を使用し、クレードル１内のＣＰＵ１７は、電子カメラ３がクレードル１に接続されたことを検出し、第１のコネクタ１０のＩ／Ｆ端子を使用し、フラッシュＲＯＭに格納されているファームウェアデータを電子カメラ３に対して転送し、ファームウェアを書き換えることが示されている。
【特許文献１】特開２００３−１９８９１０号公報
【特許文献２】特開２００４−１０４５３３号公報
【発明の開示】
【発明が解決しようとする課題】
【０００４】
一般的にディスカバリ動作では、電子カメラに接続されている周辺装置がＤＣ−００１−２００３に準拠した装置であると電子カメラが検出すると、電子カメラは、その周辺装置を常にプリンタとして認識してしまう虞がある。
【０００５】
本発明は上記実情に鑑み、ドッキングステーションに載置されてドッキングステーションとの間でデータの送受を行う際、サービスに係わる処理を行う前にドッキングステーションとの間で対応可能なサービスを検索し表示する電子機器、その表示方法、及びその電子機器を含む電子機器システムを提供することを目的とする。
【課題を解決するための手段】
【０００６】
上記目的を達成するため、本発明の第１の態様に係る電子機器は、電子機器が載置できるドッキングステーションとダイレクトにデータの送受を行う電子機器であって、当該電子機器がサポートするサービス毎に対応して作成させる仮想ファイルが記憶される第１の記憶手段と、前記ドッキングステーションにおいて前記第１の記憶手段に記憶されたファイルから前記ドッキングステーションがサポートするサービスに対応する仮想ファイルが検索されたときに前記ドッキングステーションから送信される前記検索されたサービスに対応する仮想ファイルのファイル情報が記憶される第２の記憶手段と、前記第２の記憶手段に記憶された前記仮想ファイルのファイル情報に応じたサービスを表示する表示手段と、を有する構成である。
【０００７】
本発明の第２の態様に係る電子機器の表示方法は、電子機器が載置できるドッキングステーションとダイレクトにデータの送受を行う電子機器の表示方法であって、当該電子機器がサポートするサービス毎に対応して作成させる仮想ファイルを第１の記憶部に記憶し、前記ドッキングステーションにおいて前記第１の記憶部に記憶されたファイルから前記ドッキングステーションがサポートするサービスに対応する仮想ファイルが検索されたときに前記ドッキングステーションから送信される前記検索されたサービスに対応する仮想ファイルのファイル情報を第２の記憶部に記憶し、前記第２の記憶部に記憶された前記仮想ファイルのファイル情報に応じたサービスを表示する、構成である。
【０００８】
本発明の第３の態様に係る電子機器の表示方法は、電子機器が載置されたことを検出する検出部を有するドッキングステーションとダイレクトにデータの送受を行う電子機器の表示方法であって、電子機器が載置されたことを検出する検出部からの出力信号に基づいて当該電子機器がサポートするサービス毎に対応して作成させる仮想ファイルを第１の記憶部に記憶し、前記ドッキングステーションにおいて前記第１の記憶部に記憶されたファイルから前記ドッキングステーションがサポートするサービスに対応する仮想ファイルが検索されたときに前記ドッキングステーションから送信される前記検索されたサービスに対応する仮想ファイルのファイル情報を第２の記憶部に記憶し、前記第２の記憶部に記憶された前記仮想ファイルのファイル情報に応じたサービスを表示する、構成である。
【０００９】
本発明の第４の態様に係る電子機器システムは、 ドッキングステーションに前記第
１の態様に係る電子機器が載置され、前記ドッキングステーションと前記電子機器との間でダイレクトにデータの送受が行われる電子機器システムであって、前記電子機器に端子部を設けると共に、前記ドッキングステーションに、前記端子部から出力される信号を織別することにより前記ドッキングステーションに設置されている前記電子機器の向きを検出する検出部と、この検出部によって前記電子機器の表示手段が設けられている面が表面か裏面かの状態を表示する表示手段とを設けた、構成である。
【００１０】
本発明の第５の態様に係る電子機器システムは、前記第４の態様において、ホスト機能をもつ前記ドッキングステーションとデバイス機能をもつ前記電子機器とが、ハブおよび切換えスイッチを経由して接続された、構成である。
【００１１】
本発明の第６の態様に係る電子機器システムは、前記第４又は５の態様において、前記ドッキングステーションに装着され、前記ドッキングステーションを介して供給される電力によって前記電子機器内の電池を充電する、構成である。
【００１２】
本発明の第７の態様に係る電子機器システムは、前記第５の態様において、前記電子機器の向きを検出する検出部からの検出結果に基づいて前記電子機器に対応する機能が変更される、構成である。
【００１３】
本発明の第８の態様に係る電子機器は、前記第１の態様において、少なくとも電子カメラ、ＰＤＡ、携帯電話機、携帯型オーディオプレーヤ、及びフォトビューワーのうちの何れか一つである、構成である。
【発明の効果】
【００１４】
本発明によれば、電子機器に記録されている画像データや電子機器のファームウェアデータ等をドッキングステーションに格納することや、またドッキングステーションに格納されている画像を電子機器の表示画面に表示することやドッキングステーションに格納されている電子機器のファームウェアデータを電子機器に格納すること等が可能になり、ユーザの利便性が向上する。
【発明を実施するための最良の形態】
【００１５】
以下、本発明の電子機器システムにおいて一実施例に係る電子カメラを用いた場合のシステム（以下、単に「システム」という）を、図１乃至１８を参照しながら説明する。
図１は、本システムの主要構成を示す図である。図２は、トレイが出ているときの情報処理装置の外観斜視図である。図３は、本システムに含まれる電子カメラの背面に設けられた表示部と各種キーを説明する図である。図４及び図５は、対応可能なサービスに係わるデータの転送およびハンドリングに関する処理を説明する図である。図６は、電子カメラの外観図である。図７は、表示部を下位置に回動させたときの電子カメラの外観図である。図８は、表示部をカメラ背面に回り込むよう回動させて表示部の背面をカメラ背面に当接させたときの状態を示す電子カメラの背面図とその使用状態を示す図である。図９は、本システムに含まれるドッキングステーションの外観図である。図１０は、ドッキングステーションに電子カメラを装着する方法が２通りあることを説明する図である。図１１は、電子カメラの設置状態を検出する機構を説明する図である。図１２は、電子カメラの設置状態を検出する他の機構の一部構成を示す図である。図１３及び図１４は、電子カメラの設置状態を検出する他の機構の例を示す図である。図１５は、電子カメラが装着されたときに行われるドッキングステーションの切換え動作を示すフローチャートである。図１６及び図１７は、情報処理装置の上板に設けられた開閉蓋とＵＳＢデバイスコントローラのＵＳＢコネクタとのメカニズムを説明する図である。図１８は、ドッキングステーションを介して情報処理装置がサポートするサービスが検索されたときの、電子カメラ背面の表示部の表示画面の一例を示す図である。
【００１６】
尚、本実施例に係るシステムでは、本実施例で説明する電子カメラに代えて、別の電子カメラや、カメラ機能を備えたものであって、電子メールなどを送受信できるＰＤＡ（ Personal Digital Assistance ）や，電話帳などのデータをバックアップする携帯電話機
や，音声データなどをバックアップする携帯型のオーディオプレーヤや，音声ファイル付フォトビューワー等の装置を用いてもよい。或いは、カメラ機能を備えていないこれらの装置を用いることもできる。
【００１７】
また、本実施例に係るシステムでは、情報処理装置として記録機能と印刷機能とを有する装置を用いて説明するが、記録機能のみを有する装置や印刷機能のみを有する装置等を用いてもよい。
【００１８】
また、本実施例に係るシステムでは、電子カメラとドッキングステーションとの間のデータの送受が有線により行われるものであるが、それを無線（光、音波又は電波）により行うようにしてもよい。また、本実施例に係るシステムでは、電子カメラとドッキングステーションの物理通信レイヤとしてＵＳＢ通信ＩＦを用いるが、これに代えて、ＩＥＥＥ（ Institute of Electrical and Electronic Engineers ）１３９４やＬＡＮ（ Local Area Network ）等といった他の通信ＩＦを適用しても良い。
【００１９】
まず始めに、本システムに含まれる情報処理装置の概略構成を、図１、図２及び図１６を参照しながら説明する。
電子カメラ１に電源を供給するために充電したりテレビに静止画や動画などの画像を表示したりする等の機能を持つクレードル・アッセンブリ（以下「ドッキングステーション」という）２には、電子カメラ１や、記録機能及び印刷機能を有する情報処理装置３との間で画像データや制御信号を授受する接続手段であるＵＳＢ／ＨＵＢ４が設けられている。そして、情報処理装置３の上面には、ドッキングステーション２と接続される、収納可能なＵＳＢデバイスコントローラ１６のＵＳＢコネクタ６がある。このＵＳＢコネクタ６は、回動可能な開閉蓋７と歯車で連結され回転可能にコネクタ載置されている。この開閉蓋７が回転するときの支点となる回転軸の軸線方向は、当該装置３に搭載されるディスクドライブ部（記録部）２１が、ハードディスクドライブ（ＨＤＤ）の場合には制限がないが、本実施例のようにスリム型（１／２インチ）タイプの光ディスク（ＤＶＤ−ＲＷなど）８を載せるトレイ９を備えた光ディスクドライブ部である場合には、トレイ９の引き出し方向に対して平行な方向になるように配置される。尚、本実施例では、ディスクドライブ部２１として光ディスクドライブ部を採用するが、磁気ディスクドライブ部を採用しても良い。
【００２０】
また、情報処理装置３に搭載されるプリンタ部（印刷部）１０のフロントべゼルには印刷用紙が収納されたカセット１１が挿入されるカセット挿入ロ１２がある。また情報処理装置３の上面には切換えスイッチ１３とＬＥＤ表示部１４（１４ａ，１４ｂ）が設けられている。また、情報処理装置３の、カセット挿入口１２がある側面には、電源ＳＷ１１７やトレイ９のイジェクトボタン１１８が設けられている。この情報処理装置３にドッキングステーション２を介して電子カメラ１を直接接続したとき、プリンタ部１０のカセット１１の挿入方向と、ドッキングステーション２に装着された電子カメラ１のカメラ正面又はカメラ背面と、情報処理装置３の開閉蓋７の開閉するための回転軸とが、平行な関係で配置されるようになっている（詳細は後述）。この場合、プリンタ部１０のカセット挿入口１２と情報処理装置３に内蔵されたスリム型ディスクドライブ部２１のトレイ９の開閉蓋とを右側面の方向にするとユーザにとって使いやすくなる。
【００２１】
次に、プリンタ部１０とディスクドライブ部２１とを有する情報処理装置３とＰＣ１５の構成及び接続関係について説明する。
情報処理装置３は、ＰＣ１５の情報を無線または有線により送受信するために所定の形式にデータを変換するための送受信手段（不図示）を有する。この送受信手段には、ＵＳＢなどのインターフェイスと接続可能なＵＳＢデバイスコントローラ１６のＵＳＢコネクタ（不図示）が接続されている。
【００２２】
ＰＣ１６は、画像や文字などの情報を表示する表示手段，入力手段，ＣＰＵ（制御回路）等を備え、ユーザが入力手段を介して入力した情報を基に所定の制御を行う。そしてＣＰＵからの指示に基づいてＬＥＤなどへの表示出力が行われる。また、ＰＣ１６には、ネットワーク上の通信機器に通信接線する際の属性情報、アドレスなどの接続情報を記録するハードディスク装置（ＨＤＤ）がある。そして、ＣＰＵと、各手段を含む周辺回路とはバスで接続されており、各々がＣＰＵによって制御される。その他として、ＣＰＵを動作させるプログラムが記録されているＲＯＭや、ＣＰＵの作業領域となるＲＡＭのメモリ等がある。
【００２３】
次に、電子カメラ１の主要構成と機能について説明する。
ユーザは、電子カメラ１の表示部１７に表示された内容に基づいて所定の操作を行うと、ドッキングステーション２、又は情報処理装置３のプリンタ部１０或いはディスクドライブ部２１の動作実行を切り換えることが可能になっている。すなわち、ユーザが直接操作のできる電子カメラ１の動作を入力できるスイッチを備えた操作部１８を有する電子カメラ１が、例えば情報処理装置３のプリンタ部１０或いはディスクドライブ部２１との直接操作ができるように構成されている。この場合、ディスカバリ部１１９とサービス検索部１２０を備えた直接操作部１９は、電子カメラ１に接続されている情報処理装置３との間で対応可能なサービスに係わるデータの転送およびハンドリングを行う。尚、この対応可能なサービスに係わるデータの転送およびハンドリングについては後に詳述する。撮影部２０は、被写体を撮影し、撮影信号を生成すると共に種々の画像処理を行って画像データを作成する。表示部１７は、例えばディスクドライブ部２１とプリンタ部１０とを備える情報処理装置３との間で対応可能なサービスやサービス終了や、画像データ等を表示する。大容量記憶メモリであるメモリカードなどの記録媒体２２には、撮影部２０により作成された画像データが格納される。メモリ２３には、当該電子カメラ１がサポートするサービス毎に対応して作成される仮想ファイルや、周辺装置から送信される仮想ファイルのファイル情報や、当該電子カメラ１の各部の動作を制御するための情報などが格納される。ここで、仮想ファイルのファイル情報は、例えば、ドッキングステーション２において、当該ドッキングステーション２がサポートするサービスに対応する仮想ファイルが検索されたときにドッキングステーション２から送信されるその検索されたサービスに対応する仮想ファイルのファイル情報などである。尚、メモリ２３には、当該電子カメラ１がサポートするサービス毎に対応して作成される仮想ファイルが格納される第１の記憶領域と、周辺装置から送信される仮想ファイルのファイル情報が格納される第２の記憶領域とが設けられている。電子カメラ１のＵＳＢデバイスコントローラ２４はＵＳＢ／ＨＵＢ４と接続されているドッキングステーション２と、ドッキングステーション２はＵＳＢ／ＨＵＢ４のＵＳＢコネクタで接続された情報処理装置３のプリンタ部１０やディスクドライブ部２１との間でデータの送受信を行うＵＳＢ規格に準拠したインターフェイスである。
【００２４】
尚、図示していないが、情報処理装置３において個々の機能（記録機能と印刷機能等）に分離した製品の場合にも、プリンタ装置やディスクドライブ装置の上面の上板の一部の回動可能な開閉蓋が開位置まで移動されると、上板に形成されている開口部にＵＳＢコネクタと一対の位置決め用の案内ピンが取り付いた回転可能なコネクタ載置部材が露出する。開閉蓋の回転軸とコネクタ載置部材の回転軸とは歯車で連結できるように取り付けられている。
【００２５】
また、他の使い方として、情報処理装置３に設けたドッキングステーション２は使わず、電子カメラ１と情報処理装置３とを直接接続することもでき、この情報処理装置３の上面に収納されるＵＳＢホストコントローラ５のＵＳＢコネクタの複数のピン端子（制御系端子、バスラインを介して電力供給する（バスパワーにより電力供給する）直流電源端子、ビデオ系端子、アース端子など）を同じとすることで、ケーブルを介することなく接続することも容易となる。
【００２６】
さらに、情報処理装置３が、記録機能を搭載せずに印刷機能のみを搭載している場合（例えばスリムタイプの光ディスク装置を搭載せずにプリンタ装置のみを搭載している場合）に、電子カメラ１とドッキングステーション２がコネクタ接続され、その状態でさらに、ドッキングステーション２に設けられたコネクタ（後述する図９に示す第２の接続部１２１）と、その印刷機能のみを搭載した情報処理装置３の上面に設けられたＵＳＢコネクタ（後述する図１６に示すコネクタ本体１０７）とが接続されたときには、ドッキングステーション２を自動的にスルーして電子カメラ１と情報処理装置３との間の信号の送受が行われる。
【００２７】
次に、電子カメラ１の背面に設けられた、前述の表示部１７であるＬＣＤ（ Liquid Crystal Display ）と操作部１８の一部であるキーの一例を、図３を用いて説明する。
同図に示したように、表示部１７に表示された画像を選択するための上下左右キー２５と、その選択されたものを確定するためのＯＫキー２６がその中央に位置している。そして、その確定されたものをキャンセルするためのキャンセルキー２７が下側に位置する。
【００２８】
表示部１７には、一般の撮影モードや再生モードに応じたカメラ機能としての表示のほかに、例えばドッキングステーション２を介して情報処理装置３と接続されているときに検出されたサービスがプリントサービス又は及びストレージサービスであった場合には、「ドッキングステーション接続済み」アイコン２８と「プリント」又は及び「ストア」が表示される。尚、表示部１７の表示画面の前面には、抵抗薄膜が接合された感圧式であって透明シート状のタッチパネルが配置されており、表示部１７には、画像と共に、例えば「プリント」又は及び「ストア」が併せて表示される。或いは、表示部１７を、画像を表示する第１の液晶表示部と、この画像も閲覧可能なタッチパネルが接合された第２の液晶表示部とからなる２つの液晶表示部によって構成することも可能である。この場合、「プリント」又は及び「ストア」表示は、抵抗型や静電型等のタッチパネルが接合された第２の液晶表示部によって表示される。
【００２９】
ここで、ユーザが表示されている「プリント」を押すと、「ドッキングステーション接続済み」アイコン２８の表示が消え、プリント中を示す「矢印」アイコンが「プリント」の横にフェイドインして表示される。プリントが無事終了すると、その「矢印」アイコンがフェイドアウトして消え、再び、「ドッキングステーション接続済み」アイコン２８が表示される。或いは、ユーザが表示されている「ストア」を押すと、「ドッキングステーション接続済み」アイコン２８の表示が消え、コピー中を示す「矢印」アイコンが「ストア」の横にフェイドインして表示される。コピーが無事終了すると、その「矢印」アイコンがフェイドアウトして消え、再び、「ドッキングステーション接続済み」アイコン２８が表示される。
【００３０】
また、情報処理装置３の切換スイッチ部２９の操作（ドッキングステーション２の操作／表示部４９を遮断し何も表示しない）により、ＰＣ１５接続時には、「情報処理装置接続済み」アイコン３１は表示しない。そして、直接（ドッキングステーション２を介さない場合）情報処理装置３が接続されている場合には、表示部１７に、「情報処理装置接続済み」アイコン３１が表示される。また、直接（ドッキングステーション２を介さない場合）ＰＣ１５が接続されている場合には、表示部１７に、「ＰＣ接続済み」アイコン３２が表示される。その他、充電中やドッキングステーション２を介したＰＣ１５接続も、「ドッキングステーション接続済み」アイコン２８が表示される。
【００３１】
また、検出されたサービスがＴＶ（ television ）サービス（ドッキングステーションサービス）であった場合（周辺装置がドッキングステーション２であった場合）、表示部１７には、「ドッキングステーション接続済み」アイコン２８と「ＴＶモニタ」又は及び「ＴＶ映像」が表示される。尚、表示部１７を、画像を表示する第１の液晶表示部と、この画像も閲覧可能なタッチパネルが接合された第２の液晶表示部とからなる２つの液晶表示部によって構成した場合には、「ＴＶモニタ」又は及び「ＴＶ映像」表示は、抵抗型や静電型等のタッチパネルが接合された第２の液晶表示部によって表示されることとなる。
【００３２】
「ＴＶ映像」とはＤＶＤレコーダに記録された画像データをＴＶ表示することである。あるいは、「ＴＶ映像」に変えて「カードコピー」とするとＤＶＤレコーダの画像データを携帯情報端末機（例えば、電子カメラ）に装着されたメモリカードへ画像データを転送し、記録する処理を行うことも可能である。
【００３３】
ここで、ユーザが表示されている「ＴＶモニタ」を押すと、「ドッキングステーション接続済み」アイコン２８の表示が消え、ＴＶモニタ開始を示す「矢印」アイコンが「ＴＶモニタ」の横にフェイドインして表示される。その後、その「矢印」アイコンがフェイドアウトして消える。ＴＶモニタ中にキャンセルキー２７を押した後、「ドッキングステーション接続済み」アイコン２８のみが再度表示される。
【００３４】
次に、情報処理装置３とドッキングステーション２の主要構成について説明する。
まず、情報処理装置３について説明する。
情報処理装置３において、制御回路（以下ＣＰＵ）３３は、サービス検索部３４、ディスカバリ部３５などを含む直接操作部３６などを有し、当該装置３の各部の動作をも統括的に制御を行う。サービス検索部３４は、当該装置３に接続されている電子カメラ１との間で対応可能なサービスの検索を行う。また、ディスカバリ部３５は、当該装置３に接続されている電子カメラ１が直接換作できる機種であるか否かの検出を行う。直接操作部３６は、当該装置３に接続されている電子カメラ１との間で対応可能なサービスに係わるデータの転送およびハンドリングを行う。メモリ３７には、当該装置３がサポートするプリントサービス及びストレージサービスに対応して作成される仮想ファイルや当該装置３の各部の動作を制御するための情報などが格納されている。印刷部１０は、画像データをもとに画像印刷を行う。記録部２１は、画像データを格納する。ＵＳＢホストコントローラ５は、接続されている電子カメラ１との間でデータの送受信を行うＵＳＢ規格に準拠したインターフェイスである。また、その他、表示部３８は、例えば切換スイッチ部２９の切換えに応じたＬＥＤ表示等、所定の表示を行う。また、電源部３９は、当該装置３の各部へ電源を供給する。
【００３５】
図４は、電子カメラ１と、ドッキングステーション２や情報処理装置３等の周辺装置との間で行われる、対応可能なサービスに係わるデータの転送およびハンドリングに関する処理フローの一例を示す図である。
【００３６】
同図において、電子カメラ１と周辺装置がＵＳＢ接続されると（Ｓ１）、まず互いにＰＴＰ（ Picture Transfer Protocol ）対応装置であるかのネゴシエーションが行われ、
互いにＰＴＰ対応装置であれば、ＰＴＰ接続が確立する（Ｓ２）。
【００３７】
次に、ディスカバリにより、互いに直接操作装置であるかのネゴシエーションが行われる（Ｓ３）。互いに直接操作装置であれば、次にサービス検索が行われる（Ｓ４）。このサービス検索において、電子カメラ１と周辺装置との間で対応可能なサービスが検索できたら、次に直接操作接続確立処理により直接操作接続が確立される（Ｓ５）。直接操作接続確立後は、電子カメラ１と周辺装置との間で対応可能なサービスに係る処理（例えばプリント又はストア等）を実行することが可能となる（Ｓ６）。
【００３８】
尚、本願発明のフローチャートでは、ディスカバリ（Ｓ３）とサービス検索（Ｓ４）とを別々の処理としているが、これらを一つの処理とすることもできる。
図５は、図４のフローにおいて、電子カメラ１と周辺装置との間で対応可能なサービスが検索されたときの処理フローの一例を示した図であり、特にサービス検索に係る処理（Ｓ４）を詳細に示したものである。
【００３９】
図５において、Ｓ１乃至Ｓ３の処理は前述のとおりである。
続くＳ４のサービス検索に係る処理では、まず、ファイル識別子数要求信号が周辺装置から電子カメラ１へ送信される（Ｓ４ａ）。これを受信した電子カメラ１では、当該電子カメラ１がサポートするサービス毎に対応する仮想ファイルが作成され（Ｓ４ｂ）、メモリ２３に格納される。
【００４０】
本実施例では、電子カメラ１がサポートするサービスがプリントサービス，ストレージサービス，ドッキングステーションサービスの何れか一つ又は複数のサービスである場合に、その一つ又は複数のサービスに対応する一つ又は複数の仮想ファイルが作成されメモリ２３に格納される。尚、こられの仮想ファイルは、ファイルサイズが０の空ファイルであっても良く、また後続のＳ４ｃが開始される前であれば、いつ作成されるものであっても良い。
【００４１】
このように仮想ファイルが作成されメモリ２３に格納されると、続いて、前述のＳ４ａのファイル識別子数要求に対する応答として、メモリ２３に格納されているファイルの各々に対応して設けられているファイル識別子の数が電子カメラ１から周辺装置へ送信される（Ｓ４ｃ）。
【００４２】
続いて、ファイル識別子リスト要求信号が周辺装置から電子カメラ１へ送信され（Ｓ４ｄ）、その応答として前述のファイル識別子のリストが電子カメラ１から周辺装置へ送信される（Ｓ４ｅ）。
【００４３】
続いて、周辺装置では、電子カメラ１との間で互いにサポートするサービスを検出するため、前述のＳ４ｅで取得されたファイル識別子リストを基に、当該周辺装置がサポートするサービスに対応する仮想ファイルを検索する処理が行われる（Ｓ４ｆ，Ｓ４ｇ，Ｓ４ｈ）。
【００４４】
本実施例では、周辺装置がサポートするサービスがプリントサービスである場合（周辺装置がプリンタである場合）にはプリントサービスに対応する仮想ファイルが、それがストレージサービスである場合（周辺装置がストレージである場合）にはストレージサービスに対応する仮想ファイルが、それがプリントサービス及びストレージサービスである場合（周辺装置が情報処理装置３である場合）にはプリントサービスに対応する仮想ファイルとストレージサービスに対応する仮想ファイルが、又はそれがドッキングステーションサービスである場合（周辺装置がドッキングステーション２である場合）にはドッキングステーションサービスに対応する仮想ファイルの検索が行われる。
【００４５】
この仮想ファイルの検索処理では、取得されたファイル識別子リストにあるファイル識別子毎に、ファイル識別子に応じたファイルのファイル情報を要求する信号が周辺装置から電子カメラ１へ送信され（Ｓ４ｇ）、その応答としてそのファイル情報（ファイル名等を含む）が電子カメラ１から周辺装置へ送信される（Ｓ４ｈ）といった処理が、前述のＳ４ｃで取得されたファイル識別子数分だけ繰り返されながら、当該周辺装置のサポートするサービスに対応する仮想ファイルのファイル名と同一のファイル名を含むファイル情報の検索が行われる（Ｓ４ｆ）。
【００４６】
本実施例では、このようなファイル情報の検索を行うことにより、当該周辺装置がサポートするサービスに対応する仮想ファイルの検索を行うようにしている。
この仮想ファイルの検索処理において、当該周辺装置のサポートするサービスに対応する仮想ファイルのファイル名と同一のファイル名を含むファイル情報が検索されると、周辺装置では、電子カメラ１との間で互いにサポートするサービスとして、その検索されたファイル情報に係るファイル（仮想ファイル）に対応するサービスが検出される（Ｓ４ｉ）。
【００４７】
このように、電子カメラ１との間で互いにサポートするサービスが検出されると、当該周辺装置がサポートするサービス毎に対応する仮想ファイルが作成され（Ｓ４ｋ）、周辺装置のメモリ（例えば情報処理装置３のメモリ３７等）に格納される。
【００４８】
本実施例では、周辺装置がサポートするサービスがプリントサービスである場合（周辺装置がプリンタである場合）にはプリントサービスに対応する仮想ファイルが、それがストレージサービスである場合（周辺装置がストレージである場合）にはストレージサービスに対応する仮想ファイルが、それがプリントサービス及びストレージサービスである場合（周辺装置が情報処理装置３である場合）にはプリントサービスに対応する仮想ファイルとストレージサービスに対応する仮想ファイルが、又はそれがドッキングステーションサービスである場合（周辺装置がドッキングステーション２である場合）にはドッキングステーションサービスに対応する仮想ファイルが作成されメモリに格納される。尚、こられの仮想ファイルは、ファイルサイズが０の空ファイルであっても良く、また後続のＳ４ｌが開始される前であれば、いつ作成されるものであっても良い。
【００４９】
このように仮想ファイルが作成されメモリに格納されると、続いて、その仮想ファイルのファイル情報（ファイル名等を含む）が周辺装置から電子カメラ１へ送信され（Ｓ４ｌ）、その応答としてファイル情報送信応答信号が電子カメラ１から周辺装置へ送信される（Ｓ４ｍ）。電子カメラ１では、周辺装置から送信された仮想ファイルのファイル情報が取得されると、そのファイル情報が一時的にメモリ２３に格納され、そのファイル情報（ファイル名等）から、接続されている周辺装置のサポートするサービスが検出され、検出されたサービスが表示部９に表示される（Ｓ４ｎ）。例えば、ドッキングステーションサービスが検出されたときには、前述の「ドッキングステーション接続済み」アイコン２８が表示される。或いは、電子カメラ１は、ドッキングステーションサービスに対応する仮想ファイルのファイル情報を取得すると、ドッキングステーション２が接続されたことを検出し、「ドッキングステーション接続済み」アイコン２８を表示するようにすることもできる。
【００５０】
このようにして、サービス検索等を含む、対応可能なサービスに係わるデータの転送およびハンドリングに関する処理が行われる。尚、この処理の詳細については、当該出願人が先に出願した特願２００３−３５７２９４号に詳細に記してある。
【００５１】
このように、ドッキングステーション２はＵＳＢホスト機器として動作し、電子カメラ１及び情報処理装置３はＵＳＢデバイス機器として動作して、通信プロトコルＰＴＰを用いて電子カメラ１の操作によって画像データのコピー（保存）やプリント（印刷）が可能になる。
【００５２】
続いて、ドッキングステーション２について説明する。
ドッキングステーション２において、制御回路（以下ＣＰＵ）４０は、サービス検索部４１、ディスカバリ部４２などを含む直接操作部４３などを有し、ドッキングステーション２の各部の動作をも統括的に制御を行う。サービス検索部４１はドッキングステーション２に接続されている電子カメラ１との間で対応可能なサービスの検索を行う。また、ディスカバリ部４２は、ドッキングステーション２に接続されている電子カメラ１が直接操作できる機種であるか否かの検出を行う。直接操作部４３は、ドッキングステーション２に接続されている電子カメラ１との間で対応可能なサービスに係わるデータの転送およびハンドリングを行う。メモリ４４にはドッキングステーション２がサポートするドッキングステーションサービスに対応して作成される仮想ファイルやドッキングステーション２各部の動作を制御するための情報などが格納されている。ＵＳＢホストコントローラ４５は、ＵＳＢ／ＨＵＢ４に接線されている電子カメラ１との間でデータの送受信を行うＵＳＢ規格に準拠したインターフェイスである。ＵＳＢ切換スイッチ１２２は、ＵＳＢ／ＨＵＢ４との接続先を、ＵＳＢホストコントローラ４５又はＰＣ端子５１の何れかに切り換えるスイッチである。例えば、ドッキングステーション２に電子カメラ１と情報処理装置３とが接続された場合、ドッキングステーション２に情報処理装置３が接続された時点で第１の遮蔽板５２がＰＣ端子５１を塞ぎ、これに同期して（情報処理装置３の接続に同期して）ＵＳＢ切換スイッチ１２２が、ＵＳＢ／ＨＵＢ４との接続先をＵＳＢホストコントローラ４５に切り換えるようになっている。これにより、電子カメラ１とドッキングステーション２との間のＵＳＢ通信が可能になっている。また、ドッキングステーション２に電子カメラ１とＰＣ（例えばＰＣ１５）が接続された場合、情報処理装置３は接続されないので第１の遮蔽板５２はＰＣ端子５１を塞ぐことはなく、これに同期して（情報処理装置３が接続されないことに同期して）ＵＳＢ切換スイッチ１２２が、ＵＳＢ／ＨＵＢ４との接続先をＰＣ端子５１に切り換えるようになっている。これにより、電子カメラ１とドッキングステーション２とＰＣとの間のＵＳＢ通信が可能になっている。
【００５３】
また、ドッキングステーション２は、その他、第１のＴＶ用端子４７、第２の遮蔽板１０３、カメラ設置状態検出部４８、操作／表示部４９、第２のＴＶ用端子５０、ＡＣ電源ケーブル端子１２４、及びＡＣ電源（例えばＡＣ１００Ｖ）をＤＣ電源（例えばＤＣ６Ｖ）に変換するＡＣ／ＤＣ変換回路１０４等も含んで構成されている。第２の遮蔽板１０３は、ドッキングステーション２と電子カメラ１とが接続されているときに電子カメラ１の第１の電力供給用端子１２３を塞ぐものである。
【００５４】
尚、メモリ４４は、上記の他に、電子カメラ１から送信された画像データの一時格納用に利用することもできる。一般的に、電子カメラ１で撮影した画像データ（画像信号）を、圧縮処理を行わずに非圧縮状態とすれば、より高画質な印刷が後に可能となるが、それではデータ容量が大きくなりすぎて記録媒体２２の記録容量が直ぐに不足してしまう。そこで、このような場合には、ドッキングステーション２のメモリ４４に一時的に格納するようにし、それを情報処理装置３に送信することで、又は、ＰＣ端子５１に接続されたＰＣ（例えばＰＣ１５）を介して外部のプリンタへ送信することで印刷するようにすることもできる。或いは、ドッキングステーション２に外部ネットワークとの間でデータの送受を可能にするネットワークＩ／Ｆ（インターフェイス）を設けて、外部ネットワークに接続されたプリンタや、外部ネットワークに接続されたサーバのプリンタに送信することで印刷するようにすることもできる。若しくは、電子カメラ１に送り返して、電子カメラ１の記録媒体２２に記録させたり表示部１７に表示させたりすることもできる。或いは、電子カメラ１に代えてドッキングステーション２に接続されている他の装置（別の電子カメラ，携帯電話機，ＰＤＡ等）に、メモリ４４に格納されている画像データを送信し、画像データのコピーを行うようにすることもできる。
【００５５】
また、メモリ４４は、電子カメラ１のファームウェアデータの格納用に利用することもできる。この場合、必要に応じてファームウェアデータを電子カメラ１へ送信することで電子カメラ１のファームウェアデータを更新することもできる。
【００５６】
次に、ドッキングステーション２のＣＰＵ４０の動作により実現するカードリーダライタ機能について説明する。上記サービス検索部４１は、ＴＶから画像データを記録できるようにするために、ＴＶに接続されている電子カメラ１との間で対応可能なサービスの検索を行うようにすることもできる。この場合、電子カメラ１の表示部１７の液晶表示画面をユーザ側に向けるように電子カメラ１をドッキングステーション２に設置すると、ドッキングステーション２に接続されたＴＶを用いて、電子カメラ１に装着されたメモリカード（記録媒体２２）に記録、或いは再生を行うための機能が実現する。このとき、ドッキングステーション２で制御は行われることなく、電子カメラ１内の信号処理部（ＮＴＳＣ変換部、またはＰＡＬ変換部）４６で制御が行われる。信号処理部４６は、第２のＴＶ端子５０とＵＳＢホストコントローラ４５を介さずダイレクト接続となる。なお、信号処理部（ＮＴＳＣ変換部、またはＰＡＬ変換部）４６に接続される入出力端子３０と第２のＴＶ用端子５０との間は、専用ケーブル１０８を経て接続され、第１のＴＶ用端子４７に接続されている。この場合、電子カメラ１と接続するためのコネクタは、ＵＳＢ／ＨＵＢ４に係る接続端子と、第２のＴＶ用端子５０に係る接続端子と、前述の仮想ファイルを使用しない場合に電子カメラ１とドッキングステーション２との接続を検出するための接続端子と、を一つのコネクタに収納した専用のコネクタとすることもできる。メモリカード（記録媒体２２）への画像データや音声データの書き込みを行うことができる。また、逆に、メモリカード（記録媒体２２）に記録されている画像データや音声データを電子カメラ１の信号処理部４６を介してＴＶのモニタに表示させることもできる。電子カメラ１の操作でＴＶを用いて電子カメラ１のメモリカード（記録媒体２２）に格納されている画像データを見ることやＴＶの画像をメモリカードに記録することができる。
【００５７】
次に、ドッキングステーション２のＣＰＵ４０の動作により実現する充電機能について説明する。ドッキングステーション２に電子カメラ１が設置されたことを、カメラ設置状態検出部４８の出力信号により、ＣＰＵ４０が認識すると、ＣＰＵ４０は、操作／表示部４９を制御して設置状態をＬＥＤ表示する。具体的には、連続発光が断続的に発光する場合や青色か赤色かの場合などの２つの状態が識別できる。そして、ドッキングステーション２のＡＣ電源ケーブル端子１２４からＡＣ／ＤＣ変換回路１０４、第２の電力供給用端子１２５、必要に応じてＵＳＢコネクタのバスラインを介して電力供給する（バスパワーにより電力供給する）ＵＳＢコネクタの直流電源端子、電子カメラ１の第１の電力供給用端子１２３、必要に応じてＵＳＢデバイスコントローラ２４、及び充電回路５３を介して、バッテリ（電池）５４に電力が供給され、本機能が実現する。この充電機能は、電子カメラ１の制御回路（以下ＣＰＵ）５５の指令による動作状態（例えば、電子カメラ１のＬＣＤ制御回路がカメラ内のプログラム制御による表示状態、またはドッキングステーション２と電子カメラ１が接続した状態をＣＰＵ４０が認識し、ＣＰＵ４０からの送信信号を電子カメラ１のＣＰＵ４９が受信し、カメラ側の電源がオンのとき、またはオフのときなど）によって充電機能が動作するように、電子カメラ１のＣＰＵ５５によって充電回路５３を制御する。
【００５８】
次に、カメラ設置状態を検出するカメラ設置状態検出部４８と操作／表示部４９について、図６乃至９を参照しながら説明する。
まず、図６乃至８を用いて電子カメラ１の外観の構成を説明する。但し、ここで説明する電子カメラ１は、前述の図３に示したものと、機能は同じであるが外観構成は多少異なっている。
【００５９】
図６は、電子カメラ１の外観図であり、同図(a) は、電子カメラ１のカメラ正面図、同図(b) はカメラ右側面図、同図(c) はカメラ上面図である。
尚、同図(a),(b),(c) は、電子カメラ１の表示部１７が閉成位置に畳まれているときのカメラの外観図である。
【００６０】
この電子カメラの表示部を閉じた状態（閉成位置）の時を検出するために図示されていない機械式スイッチがある。この状態ではカメラ本体５６に装着された機械式スイッチの端子が表示部１７のフレームに押圧され、機械式スイッチ端子からの出力は「オン状態」となる。この「オン状態」はカメラ内の制御回路（ＣＰＵ）が認識できる。
【００６１】
同図(a),(b),(c) に示すように、電子カメラ１は、カメラ本体５６の正面の図の左側ほぼ１／３（幅方向の寸法で）に把持部５７が形成され、把持部５７の上部にはセルフタイマ用報知窓５８が設けられている。またカメラ本体５６の右側ほぼ２／３を、表示部１７がその背面をカメラ正面方向に見せて覆っており、その表示部１７の上部にはカメラの種々の状態を点灯又は点滅報知するための報知光透過窓５９が設けられ、表示部１７の下部にダブルヒンジ６０が取り付けられている。また、同図(c) に示すように、カメラ本体５６の表示部１７に対向する背面には、本体側端部側に段差部５６ａが形成されている。
【００６２】
カメラ上面には、セルフタイマ用報知窓５８の上方に当たる位置に、ズームレバー６１とシャッタボタン６２が配置され、その右方にリモコン用受光部６３が配設されている。同図(b) に示すように、電子カメラ１にはカメラ接続部６４が設けられている。このカメラ接続部６４のカメラ１の高さ方向における位置は、カメラ１の高さ方向の中心（１／２ｈ）に位置するように配置されている。これにより、電子カメラ１の天地を逆にしても、カメラ接続部６４の高さ位置は変わることがない。
【００６３】
図７は、表示部１７を下位置に回動させたときのカメラの外観図であり、同図(a) はカメラ正面図、同図(b) はカメラ右側面図、同図(c) はカメラ上面図である。
同図(a) に示すように、表示部１７がダブルヒンジ６０を支点にして下方位置に回動すると、カメラ本体５６の開成された前面上部左側（カメラ全体としてはほぼ中央）に撮影レンズ窓６５、上部右端にストロボ窓６６、その下にマイク６７が、それぞれ現われる。また、表示部１７がその表示面１７ａを前面に向けて配置される。
【００６４】
表示部１７の表示面１７ａの右下方には電源ボタン６８が設けられている。尚、報知光透過窓５９は、図６(a) のように表示部１７が畳まれているときでも図７(a) のように開かれているときでも報知光を外部に放散する。すなわち、表示部１７の表裏両面方向に報知光を放散する。
【００６５】
尚、この図７(a),(b),(c) に示す表示部１７の開成位置での電子カメラ１の使用方法は、カメラ１の使用者が自分で自分の居る方向を撮影するような場合に、表示部１７の表示面１７ａをモニタとして見ながら用いられる方法である。
【００６６】
この電子カメラの表示部を開いた状態（開成位置）の時を検出するために図示されていない機械式スイッチがある。この状態ではカメラ本体５６に装着された機械式スイッチの端子が表示部１７のフレームから開放され、機械式スイッチ端子からの出力は「オフ状態」となる。この「オフ状態」はカメラ内の制御回路（ＣＰＵ）が認識できる。
【００６７】
図８(a) は、上記の表示部１７を下位置から更にカメラ背面に回り込むように回動させて表示部１７の背面をカメラ本体５６の背面に当接させた状態を示す図であり、同図(b) は、その使用状態を示す図である。尚、同図(a),(b) は、この電子カメラ１の本来の使用方法を示している。また、図８(a),(b) には図６(a),(b),(c) 及び図７(a),(b),(c) と同一の構成部分には図６(a),(b),(c) 及び図７(a),(b),(c) と同一の番号を付与して示している。
【００６８】
図８(a) に示すように、電子カメラ１の使用に当たって表示部１７をカメラ１の背面に回り込ませてカメラ背面のほぼ２／３を覆い隠すように表示面１７ａをカメラ背面に配置したとき、カメラ背面の残る１／３の面に、モードダイヤル６９、十字ボタン７０、その他の操作ボタンが配設されており、表示部１７の表示面１７ａに表示される表示画面を見ながら、種々の操作を行うことができるようになっている。
【００６９】
そして、撮影時には、同図(b) に示すように、把持部５７を手に持って、表示面１７ａに映し出される映像を確認しながらシャッタボタン６２を押して撮影を行うことが出来る。また、同図下段に示すように表示部１７をカメラ背面にまで回り込ませると、図６に示す携帯時の配置から裏返ったダブルヒンジ６０の裏面に形成されている三脚用ネジ穴７１が下方に向けて外部に露出するようになっている。これにより、図８(a),(b) に示す状態で、三脚を用いて撮影を行うこともできる。
【００７０】
続いて、図９を用いてドッキングステーション２の外観の構成を示す。
図９は、ドッキングステーション２の外観図であり、同図(a) は上面図、同図(b),(c) は正面図、同図(d) は右側面図である。同図(a) 〜(d) に示すように、ドッキングステーション２は、本体７２と収納部７３とから成る。
【００７１】
収納部７３は、電子カメラ１を載置する載置面７４と、この載置面７４の対向する２方の縁部から立設された側壁７５とで形成されている。側壁７５は載置面７４に載置される電子カメラ１の高さ方向の２方の側面を保護し且つ位置決めする。
【００７２】
本体７２は、上記収納部７３の後方の側壁を形成する平面部７２ａを有し、この平面部７２ａとほぼ同一面上に回動面７６ａを形成されている円筒形状の回動部７６を平面部７２ａの中央に備えている。
【００７３】
回動部７６は、円筒形状の端面を回動面７６ａとし、この回動面７６ａが、電子カメラ１が収納部７３に収納されたときカメラ接続部６４に対向するように、本体７２に配置されている。また、回動部７６は、円筒形状の周面を操作部としてその一部を本体７２の上部に露出するように配置されている。
【００７４】
そして、この回動部７６の回動面７６ａには、電子カメラ１のカメラ接続部６４と電気的に接続する第１の接続部７７が突設されている。この第１の接続部７７は、前述のＵＳＢ／ＨＵＢ４のコネクタであって、少なくとも電子カメラ１に給電を行う給電端子を備えるよう構成され、本例では、更にＵＳＢ出力端子とビデオイン端子が備えられている。また、この第１の接続部７７は、回動部７６の回動面７６ａの回動中心から半径方向にややずれた位置に設けられている。
【００７５】
これにより、収納部７３に収納された電子カメラ１の表向き又は裏返しの向きに応じて収納部７３内での位置が異なる電子カメラ１のカメラ接続部６４に対応して、使用者の操作による回動部７６の回動により、同図(b) 又は同図(c) に示すように２つの位置に置き換わる。すなわち、同図(b) に示す位置又は同図(c) に示す位置の２つの位置を一方の位置から他方の位置に変位する。
【００７６】
また、回動部７６の回動面７６ａには、第１の接続部７７の近傍に板状の接続禁止部材７８が設けられている。接続禁止部材７８は、第１の接続部７７よりも突出するように設けられている。これにより、詳しくは後述するように、第１の接続部７７の位置がカメラ接続部６４の位置に対応しない位置に在るとき、第１の接続部７７とカメラ接続部６４との接続を禁止するようになっている。従って、接続禁止部材７８は、位置決め部材でもある。
【００７７】
尚、図９及び続く図１０では、接続禁止部材７８の形状及び回転部７６の形状を簡易的に示しているが、詳しくは図１１などを用いて後述するように、実際には、接続禁止部材７８は切り欠き部を有し、回転部７６は内壁部を有すると共に外周面には１８０度の位置に鋼球が埋め込まれている。
【００７８】
また、同図(d) に示したように、ドッキングステーション２の背面方向下部には、第２の接続部１２１が下向きに設けられている。この第２の接続部１２１は、外部配線を介さずに他の装置のコネクタに直接電気的に接続するためのものである。例えば、これは、情報処理装置３のコネクタ１０７に接続される。但し、第２の接続部１２１の長手方向の該接続部１２１の両側には、詳しくは図１６等を用いて後述する情報処理装置３の第１載置部材１０９の一面側に形成されている一対の位置決め用凸部１０９ａの穴部（ネジ配設孔１０９ｂ）に対応して、一対の突起が設けられており、第２の接続部１２１を情報処理装置３のコネクタ１０７に接続した際には、この一対の突起が、その一対の位置決め用凸部１０９ａの穴部に入り込むことにより、第２の接続部１２１と情報処理装置３のコネクタ１０７との接続の際の位置決めが行われるようになっている。
【００７９】
図１０(a),(b),(c),(d) は、ドッキングステーション２に電子カメラ１を装着する方法が２通りあることを説明する図である。
図１０(a) は、図８(a),(b) に示した状態の電子カメラ１を表示部１７の表示面１７ａを上に向けて寝かせた状態を示しており、図１０(b) はドッキングステーション２の回動部７６を回動させて、ドッキングステーション２と接続禁止部材７８との位置関係を図９(b) に示す位置に変位させた状態を示している。
【００８０】
この状態で、ドッキングステーション２の収納部７３に対し、電子カメラ１を図１０の矢印ｂで示すように移動させて、図１０(b) に破線で示すように電子カメラ１をドッキングステーション２に装着すると、接続禁止部材７８の先端が、カメラ本体５６の段差部５６ａに入り込むと共に、第１の接続部７７がカメラ接続部６４に連結される。
【００８１】
このように電子カメラ１を裏向きにドッキングステーション２に装着すると、不図示のＤＣ電源コネクタを介してＤＣ電源から充電を受けている最中でも、表示部１７の表示面１７ａの表示画面を見ながら、モードダイヤル６９や十字ボタン７０あるいはその他の操作ボタンを操作して、種々の処理を行うことができる。
【００８２】
また、図１０(c) は、図６(a),(b),(c) に示した状態の電子カメラ１を正面を上に向けて寝かせた状態を示している。他方、図１０(d) に示すドッキングステーション２は、その回動部７６を回動させて、第１の接続部７７と接続禁止部材７８との位置関係を図９(c) に示す位置に変位させた状態を示している。
【００８３】
この状態で、ドッキングステーション２の収納部７３に対し、電子カメラ１を図１０の矢印ｃで示すように移動させて、図１０(d) に破線で示すように電子カメラ１をドッキングステーション２に装着すると、接続禁止部材７８の先端が、この場合もカメラ本体５６の段差部５６ａに入り込むと共に、第１の接続部７７がカメラ接続部６４に連結される。
【００８４】
このように、ドッキングステーション２の収納部７３に対する電子カメラ１の装着姿勢を表裏いずれを上に向けても、つまり図６(b) において電子カメラ１の天地を逆にしても、カメラ接続部６４の電子カメラ１に対する高さ位置は変わることがないから、カメラ接続部６４と、ドッキングステーション２の収納部７３の背部壁面を形成する平面部７２ａの中央に配置されている回動部７６の回動面７６ａとの対応関係に異動はない。
【００８５】
したがって、回動部７６を１８０°回動させて、その回動面７６ａに配置されている第１の接続部７７を、図９(b) に示す位置と図９(c) に示す位置とのいずれかに変位させるだけで、装着姿勢が表裏いずれかに変化した電子カメラ１のカメラ接続部６４に容易に対応することができる。
【００８６】
そして、もし、電子カメラ１の装着姿勢とドッキングステーション２の回動部７６の第１の接続部７７との関係が、図１０(a) と同図(d) の状態であると、電子カメラ１をドッキングステーション２に装着しようとしても、第１の接続部７７がカメラ接続部６４に連結される前に接続禁止部材７８がカメラ本体部５６の段差部５６ａが形成されていない側面に衝突するため、それ以上電子カメラ１をドッキングステーション２に押し込むことができない。これにより、第１の接続部７７とカメラ接続部６４との誤った接続が禁止される。
【００８７】
同様に、もし、電子カメラ１の装着姿勢とドッキングステーション２の回動部７６の第１の接続部７７との関係が、図１０(c) と同図(b) の状態であると、電子カメラ１をドッキングステーション２に装着しようとしても、この場合も第１の接続部７７がカメラ接続部６４に連結される前に接続禁止部材７８がカメラ本体部５６の段差部５６ａが形成されていない側面に衝突するため、それ以上電子カメラ１をドッキングステーション２に押し込むことができない。したがって、この場合も第１の接続部７７とカメラ接続部６４との誤った接続が禁止される。
【００８８】
このように電子カメラ１をドッキングステーション２に表向きに装着すると、不図示のＤＣ電源コネクタを介してＤＣ電源から充電を受けている最中に、誤って他の物が電子カメラ１の上に落下したり当接したりしても表示部１７の表示面１７ａを損傷させる虞がないので、充電状態のまま安心して外出などすることができる。
【００８９】
このようにしてユーザが電子カメラ１をドッキングステーション２に表向き或いは裏向きに装着し、電子カメラ１がドッキングステーション２に設置されると、このときの設置状態が表向きであるか裏向きであるかを、前述のカメラ設置状態検出部４８が検出することができるようになっている。そして、ＣＰＵ４０は、カメラ設置状態検出部４８の出力信号を基に操作／表示部４９を制御して、ユーザが設置状態を認識できるような表示を行う。尚、この表示は、例えば、ドッキングステーション２の本体７２に設けられた不図示のＬＥＤ等によって行われる。この場合、電子カメラ１が表向きの場合には青色のＬＥＤが、裏向きの場合には赤色のＬＥＤが発光する。
【００９０】
また、情報処理装置３にドッキングステーション２が設置されると、ＰＣ端子５１（ＰＣと接続可能なＵＳＢコネクタ）は第１の遮蔽板５２で隠される構造となっている。
ここで、電子カメラ１の設置状態を検出する機構について詳細に説明する。
【００９１】
図１１(a),(b) は、この検出機構を説明する図であり、同図(a) は、ドッキングステーション２を正面から見たときの一部断面図、同図(b) は、ドッキングステーション２を右側面から見たときの一部断面図である。
【００９２】
同図(a),(b) において、回動部７６の外周面の一部にはスプライン加工が施されている（図９(a) 参照）。また、回動部７６の回動面７６ａに設けられた第１の接続部７７と接続禁止部材７８は、第１の接続部７７が回動部７６の回動中心からａだけ離れて設けられ、接続禁止部材７８がその回動中心からｂだけ離れて設けられている。これにより、回動部７６の回動によって第１の接続部７７と接続禁止部材７８が偏芯回転するようになっている。
【００９３】
また、同図(b) に示すように、右側面から見ると、接続禁止部材７８の先端は第１の接続部７７の先端よりもｄだけ飛び出して設けられている。これは、設置されるカメラ本体５６が先に接続禁止部材７８の一面に接触するようにもなっており、第１の接続部７７の端子ピンなどに負担がかからないようにもなっている。
【００９４】
回動部７６は、中央に内壁部を有している。また接続禁止部材７８の一部には切り欠き部７９が設けられている。さらに取り付けねじ８０が貫通する勘合孔８１が設けられている。この取り付けねじ８０の首下長さの方が回動部７６の勘合穴８１の長さより０・０５ｍｍ長くなっている。この取り付けねじ８０が、同図(b) で左側に抜けないように締め付け用のナット８２と接着材で固定されている。回動部７６の外周表面には、１８０度の位置にそれぞれ鋼球８３（８３ａ，８３ｂ）が埋め込まれている。
【００９５】
一方、ドッキングステーション２の本体７２には、一対からなる、この鋼球８３を落とし込むための孔が空いた上側に少々傾斜した板ばね８４（８４ａ，８４ｂ）が小ねじ８５（８５ａ，８５ｂ）によって取り付いている。また、それぞれの板バネ８４には機械式のマイクロスイッチ８８（８８ａ，８８ｂ）がそれぞれ接触するようにドッキングステーション２の本体７２に取り付けられている。
【００９６】
或いは、図１２に示すように、一対からなる（但し同図では一方のみ示している）板ばね８６の先端に円形部を持つ接触端子８７を設け、更に板ばね８６には機械式のマイクロスイッチ８８が接触するようにドッキングステーション２の本体７２に取り付けるようにすることも可能である。但し、この場合には、回動部７６の外周表面には、１８０度の位置にＶ溝（但し同図紙面に対して垂直方向にずれた位置にある）が設けられる。
【００９７】
続いて、これらの機構の動作を説明する。
電子カメラ１の取り付け方向に合うように回動部７６を回動して、図１１(a) に示すように板ばね８４の押圧力により鋼球８３が板ばね８４の孔に入り込むか、或いは図１２に示すようにＶ溝に接触端子８７の円形部が入り込むことにより、回動部７６がロックした状態で固定される。この回動部７６がロックされた状態を、一対のマイクロスイッチ８８のいずれかが板ばね８６に押されてマイクロスイッチ８８が切り替わることによって検出する。すなわち、電子カメラ１の設置状態が表向きとなるときの回動部７６がロックされた状態を一方のマイクロスイッチ８８（例えば８８ａ）により検出し、裏向きとなるときの回動部７６がロックされた状態を他方のマイクロスイッチ（例えば８８ｂ）により検出するようになっている。そして、ＣＰＵ４０は、一対のマイクロスイッチ８８の出力信号を検出し、該出力信号を基に、操作／表示部４９を制御して設置状態に対応する色別表示を行う。例えば、電子カメラ１の表示部１７の表示面が設けられている面が表面であるか裏面であるかを色別表示により表示するようにしても良い。従って、ユーザは、電子カメラ１がどのようにセットされたか色別表示を見ることでも判別することが可能になり、特に暗い場所でも簡単に対応できる利点がある。
【００９８】
或いは、この電子カメラ１の設置状態を検出する機構を、次のように構成することもできる。
図１３(a),(b) は、その機構の他の例を示す図である。
【００９９】
同図に示したように、外周表面にスプライン加工を施した回動部７６には、前述と同様に、第１の接続部７７と接続禁止部材７８とが設けられている。この回動部７６の回動面７６ａと反対側の回動面には、鋼球９０が二箇所に埋め込まれている。そして、この回動面に対向するドッキングステーション２の本体７２の側面にも二箇所の半円球状の凹部（窪み）９１が設けられている。さらに、回動部７６の中心軸には軸部９２があり、先端はＥリング９３で固定されている。Ｅリング９３とドッキングステーション２の本体７２の内側面との間には、圧縮ばね９４が介在している。Ｅリング９３や圧縮ばね９４を隠すためのカバー９５がドッキングステーション２の本体７２に接着固定されている。このようにすると、ユーザが回動部７６を同図(a) 左側に摘み出して回転させることで（圧縮ばね９４の押圧力に打ち勝つ程度の力量を加えることで）、ドッキングステーション２の本体７６の側面にある半円球状の凹み（窪み）９１から鋼球９０が飛び出すことで、切換えが可能となる。なお、ここでは、上記のように半円球の凹み（窪み）形状としたが、窪みの形状は１８０度に渡る長い半円球断面を有するレールとし、両端のみ更に０．５ｍｍ程度、レール溝より深い円球短部とした形状にしても良い。この場合、回動部７６の側面と、この側面に対向する本体７２の端面との隙間を設けることなく回動部７６の回転ができ、３６０度くるくる回ることなく、ユーザにとって、より扱いやすいものとなる。このときの位置を検出する機構としては、同図(b) に示したように、一対の磁気感応センサ９６を用いて、対応する回動部７６の外周表面の二箇所にそれぞれ埋め込まれた永久磁石９７（９７ａ，９７ｂ）の何れかを検出するようになっている。この場合、ＣＰＵ４０は、この磁気感応センサ９４の出力信号を検出し、この出力信号を基に、操作／表示部４９を制御して設置状態に対応する色別表示を行う。従って、ユーザは、電子カメラ１がどのようにセットされたか色別表示を見ることでも判別することが可能になり、特に暗い場所でも簡単に対応できる利点がある。
【０１００】
更に、或いは、この電子カメラ１の設置状態を検出する機構を、次のように構成することもできる。
図１４(a),(b),(c) は、その機構の他の例を示す図である。
【０１０１】
本例においては、電子カメラ１に段差部５６ａを設けた構造ではなく、ＵＳＢ／ＨＵＢ４のコネクタである第１の接続部７７よりも背の低い突起部９８を設けている。これに対応して、ドッキングステーション２には、回動部７６の第１の接続部７７の設置側の側面に窪み部９９を設けてある。その他の構成は、接続禁止部材７８が省かれている以外、図１３(a),(b) を用いて説明したとおりである。
【０１０２】
このようにすると、回動部７６をロックした状態でカメラ接続部６４を第１の接続部７７に差し込み、挿入完了時にカメラ本体５６の突起部９８が回動部７６の側面にある窪み部９９嵌合することによって、電子カメラ１が固定される。
【０１０３】
次に、電子カメラ１が装着されたときに行われるドッキングステーション２の切換え動作の一例を図１５を用いて説明する。
図１５は、その切換え動作を示すフローチャートである。
【０１０４】
同図において、ドッキングステーション２に電子カメラ１が装着されると、前述してきた機構によってカメラ設置状態検出部４８により電子カメラ１の設置状態が検出され（Ｓ１１）、電子カメラ１が表向き（図１０(d) に示した設置状態）に設置されているのか、裏向き（図１０(b) に示した設置状態）に設置されているのかが判定される（Ｓ１２）。
【０１０５】
尚、本フローにおいては、電子カメラ１が表向きの場合には、図１０(d) に示したように、基本的に撮影レンズが表示部１７によって隠れているので、Ｓ１２において表向き或いは裏向きの何れかに設置されている。仮に、電子カメラ１が一般の電子カメラのように背面に表示部１７を設けたタイプのものであれば、Ｓ１２の判定に表向きに設置されていると判断したならば、Ｓ１７の処理「充電」へ進むことになる。
【０１０６】
一方で、ドッキングステーション２に電子カメラ１が装着されると、前述の図４及び図５を用いて説明したように、ディスカバリ／サービス検索等といった処理を行って電子カメラ１との接続を確立する（Ｓ１３）。尚、このディスカバリ／サービス検索において、電子カメラ１や情報処理装置３をサポートするサービスに対応する仮想ファイル、及びその版数などは、予めドッキングステーション２のメモリ４４や電子カメラ１のＳＤＲＡＭ（Synchronous Dynamic Random Access Memory）に格納しておくことも可能であり、ＰＣ１５からダウンロードすることも可能である。
【０１０７】
そして、Ｓ３の判定処理が終了であって、且つ、Ｓ１３で接続が確立した後は、再生モード動作を開始して（Ｓ１４）、ＴＶ画面表示の処理、或いは、さらに本フローでは図示していないが情報処理装置３と接続されているときにはプリント／ストアを実行し（Ｓ１６）、充電を行い（Ｓ１７）、本フローは終了することも可能である。
【０１０８】
上記再生モードの状態において電子カメラ１の表示部１７にＡＶ端子が接続されていない場合は図３に示す「ＴＶモニタ」が選択できなくなる。ＡＶ端子が接続されている場合は図３に示すメニュー画面が表示される。ユーザがリモコンの「ＴＶモニタ」を操作すると表示部１７には最新撮影日を優先に９枚のサムネイル画像が表示されると同時に、カメラ１内の信号処理部（ＮＴＳＣ変換部  ＰＡＬ変換部）４６、ＡＶコネクタを介して、アナログ信号がＴＶ表示画面に転送され、ＴＶ画面にもサムネイル画像が表示される。さらにユーザがサムネイル画像のうち、１枚の静止画やタイトル付き（年月グループ）のアルバムを選択するとマルチのサムネイル画像が所望の画像データに入れ替わる。また、電子カメラ１の表示部やＴＶ画面に表示される画像データは１枚毎でもよい。あるいは、「プリント」釦を操作すると予約したプリントが自動的に印刷することもできる。さらに、「ストア」釦を操作すると電子カメラ１に装着されたメモリカードに記録された全画像データがＤＶＤ記録ディスクに記録することもできる。この場合、上書き保存処理も行われる。
【０１０９】
但し、Ｓ１２の判定において電子カメラ１が表向きに装着されていると判定したときには、電子カメラ１の表示部１７が開成されている場合に限りＳ１４の再生モード動作を開始するものとし、表示部１７が閉じられたままの場合には、情報処理装置３が接続されている場合に限り電子カメラ１に保存されている画像データを自動的に情報処理装置３の記録部２１に記録するものとする。
【０１１０】
尚、本フローにおいて、図６等に示した電子カメラ１と外観構成のみが異なる電子カメラであって、撮影レンズが隠れることなく表に向くようにドッキングステーション２に装着されたときに第１の接続部と接続禁止部材７８とが図１０(d) に示した位置となり、画像等を表示する液晶表示部が隠れることなく表に向くようにドッキングステーション２に装着されたときに第１の接続部と接続禁止部材７８とが図１０(b) に示した位置となるように構成されたカメラがある場合に、この電子カメラがドッキングステーション２に装着されたときに、カメラ設置状態検出部４８により設置状態が検出され、電子カメラ１が表向き（第１の接続部と接続禁止部材７８とが図１０(d) の位置）に設置されていると判定されたときには電子カメラにおいて撮影モードが設定され、電子カメラ１が裏向き（第１の接続部と接続禁止部材７８とが図１０(b) の位置）に設置されていると判定されたときには電子カメラ１において再生モードが設定され、各モードに応じて次のような動作が行われるように構成することもできる。
【０１１１】
撮影モードが設定された場合には、例えば、ドッキングステーション２のメモリ４４に予め格納されている電子カメラのファームウェアデータが電子カメラへ送信され、電子カメラにおいて当該カメラのファームウェアデータの更新が実行される。或いは、前述の充電動作が実行される。若しくは、監視用として電子カメラにより撮影された動画データがドッキングステーション２に送信されメモリ４４に格納される。
【０１１２】
また、再生モードが設定された場合には、例えば、ドッキングステーション２のメモリ４４に予め格納されている画像データが電子カメラへ送信され、電子カメラにおいてその画像データの再生が行われる。或いは、前述のように、ドッキングステーション２を介して電子カメラとＴＶが接続されているときに、ＴＶで電子カメラの記録媒体２２に記録されている画像データを再生することや、電子カメラの表示部１７でＴＶの映像を再生することが行われる。
【０１１３】
また、ドッキングステーション２に携帯電話機やＰＤＡ等が接続されたときに、これらの機器にドッキングステーション２のメモリ４４に格納されている画像データを送信し、画像データのコピーを行うようにすることも可能である。
【０１１４】
次に、情報処理装置３の上板に設けられた開閉蓋７とＵＳＢデバイスコントローラ１６のＵＳＢコネクタ６とのメカニズムを図１６及び図１７を用いて説明する。
図１６は、上板の開閉蓋７を開成したときの情報処理装置３の一部斜視図であり、図１７は、開閉蓋７とＵＳＢコネクタ６とに関係する構成を示す図である。
【０１１５】
図１６及び図１７において、上板１００には、開閉蓋７によって塞がれる開口部１００ａと、スイッチ端子１０１が配設される貫通孔１００ｂとが形成されている。スイッチ端子１０１は略Ｔ字形状であり、後述する連結端子（図１７の符号１０２）を、この連結端子１０２が備える付勢力に抗して所定方向に摺動移動させる作用部１０１ａが設けられている。
【０１１６】
開閉蓋７は、開口部１００ａを略隙間なく塞ぐように形成されている。開閉蓋７の両側部には後述する支持部となる凸部７ａが設けられている。一方の凸部７ａには、所定の歯数で形成された開閉蓋用歯車１０５が例えば一体的に設けられている。
【０１１７】
保護カバー１０６を有するコネクタ本体１０７の略中央部には、このコネクタ本体１０７を先端側部１０７ａと基端側部１０７ｂとに分割するフランジ１０７ｃが設けられている。
【０１１８】
第１載置部材１０９は平板状で硬質な樹脂部材で形成されている。第１載置部材１０９の略中央部には保護カバー１０６が摺動自在に配置される角穴１０９ｃが形成されている。一対の位置決め用凸部１０９ａは第１載置部材１０９の一面側に形成されている。
【０１１９】
第２載置部材１１０は硬質な樹脂部材で形成きれている。また、第２載置部材１１０の両側部にはそれぞれ円柱状の回動保持部１１０ｂが設けられている。一方の回動保持部１１０ｂの先端側には、付勢用の捻りコイルバネ１１１が配置される凸部１１０ｃが設けられ、他方の回動保持部１１０ｂには歯数を所定数に設定したコネクタ側歯車１１２が一体的に設けられている。さらに、第２載置部材１１０にはネジ配設孔１０９ｂに対向する雌ねじ部（不図示）及びフランジ１０７ｃが配設される凹部（不図示）が設けられている。
【０１２０】
したがって、コネクタ本体１０７の先端側部１０７ａに第１載置部材１０９の角穴１０９ｃを挿入配置させる一方、コネクタ本体１０７の基端側部１０７ｂに第２載置部材１１０を配置させる。そして、この配置状態で第１載置部材１０９のネジ配設孔１０９ｂに固定ネジ１１３を挿入し、この固定ネジ１１３を第２載置部材１１０に設けられている雌ねじ部に螺合する。このことによって、コネクタ本体１０７が、第１載置部材１０９と第２載置部材１１０とで挟持保持されて、コネクタ６が構成される。
【０１２１】
コネクタ設置枠１１４は硬質な樹脂部材で略凹字形状に形成されている。コネクタ設置枠１１４に設けられた凹部１１４ａ内にはコネクタ６が配設される。コネクタ設置枠１１４には、コネクタ６を構成する第２載置部材１１０に設けられている回動保持部１１０ｂが回動自在に配設される一対の第１支持凹部１１４ｂ、１１４ｃが設けられている。第１支持凹部１１４ｃには、コネクタ側歯車１１２の軸部が回動自在に設けられるようになっている。
【０１２２】
また、コネクタ設置枠１１４の第１支持凹部１１４ｃ近傍の側部所定位置には所定の歯数で形成された伝達用歯車１１５が回動自在に配設される軸部１１４ｄ、スイッチ端子１０１によって摺動移動される連結端子１０２を構成する後述する枠部（図中の符号１０２ａ）が配置される連結端子設置部１１４ｅが設けられている。連結端子設置部１１４ｅには開口１１４ｆが形成されている。
【０１２３】
さらに、コネクタ設置枠１１４には開閉蓋７に設けられている凸部７ａが回動自在に配設される一対の第２支持凹部１１４ｇが設けられている。
連結端子１０２には枠部１０２ａと付勢部１０２ｂとが設けられている。枠部１０２ａは、連結端子設置部１１４ｅに配置される。枠部１０２ａには開ロが形成されており、この開ロには開口１１４ｆを介してスイッチ端子１０１の作用部１０１ａが配設されるようになっている。付勢部１０２ｂは、連結端子１０２をコネクタ設置枠１１４に形成されている連結端子設置部１１４ｃの所定位置に付勢配置させる所定の付勢力を有している。
【０１２４】
最後に、電子カメラ１において、ドッキングステーション２を介して情報処理装置３がサポートするサービスが検索されたときの、電子カメラ１背面の表示部１７の表示画面の一例を、図１８を用いて説明する。尚、同図(a),(b),(c),(d) は、前述の図３に対応する図であり、何れも、撮影した画像と操作メニューとが同時に表示された例である。
【０１２５】
同図(a) に示したように、検出されたサービスがプリントサービスやストアサービスであった場合には、透明のタッチパネルを介して表示される項目として「プリント」や「ストア」が表示される。この場合にドッキングステーション２を介して接続されていることを表示するアイコン２８も画面右下に表示される。
【０１２６】
同図(b) は、タッチパネルを介して「プリント」が押されて印刷を開始してから所望の時間が経過したときの表示例を示したものである。矢印（同図(b) では「プリント」の右横に表示されている矢印）が途切れている部分が印刷されたことを示す。また、サムネイル画像を直接網掛けを施すようにして印刷状態を実時間で表示するなどすることで、ユーザにわかりやすく確認させることもできる。例えば、その網掛けを実行する場合は、項目「ストア」や「プリント」表示を消去するか半透明にすることにより、サムネイル画像の印刷状態がより鮮明にわかりやすい状態となる。
【０１２７】
同図(c) は、タッチパネルを介して項目「ストア」が押されてコピーを開始してから所望の時間が経過したときの表示例を示したものである。矢印（同図(c) では「ストア」の右横に表示されている矢印）が途切れている部分がコピーされた（保存された）ことを示す。
【０１２８】
同図(d) は、コピーが終了した時点の表示例を示したものである。画面には保存された最後のサムネイル画像が表示され、保存が完了したことを表示している。また、この時には、画面に上下左右キーに対応するマーク１１６も併せて表示され、上下左右キーのキー入力を受け付け可能であることも表示している。
【０１２９】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１３０】
【図１】電子カメラシステムの主要構成を示す図である。
【図２】トレイが出ているときの情報処理装置の外観斜視図である。
【図３】システムに含まれる電子カメラの背面に設けられた表示部と各種キーを説明する図である。
【図４】対応可能なサービスに係わるデータの転送およびハンドリングに関する処理を説明する図である。
【図５】対応可能なサービスに係わるデータの転送およびハンドリングに関する処理を説明する図である。
【図６】(a) は電子カメラのカメラ正面図、(b) はそのカメラ右側面図、同図(c) はそのカメラ上面図である。
【図７】(a) は表示部を下位置に回動させたときのカメラ正面図、(b) はそのときのカメラ右側面図、(c) はそのときのカメラ上面図である。
【図８】(a) は表示部を下位置から更にカメラ背面に回り込むように回動させて表示部の背面をカメラ本体の背面に当接させた状態を示す図、(b) はその使用状態を示す図である。
【図９】(a) はドッキングステーションの上面図、(b),(c) はその正面図、(d) はその右側面図である。
【図１０】(a),(b),(c),(d) はドッキングステーションに電子カメラを装着する方法が２通りあることを説明する図である。
【図１１】(a),(b) は電子カメラの設置状態を検出する機構を説明する図である。
【図１２】電子カメラの設置状態を検出する他の機構の一部構成を示す図である。
【図１３】電子カメラの設置状態を検出する他の機構の例を示す図である。
【図１４】電子カメラの設置状態を検出する他の機構の例を示す図である。
【図１５】電子カメラが装着されたときに行われるドッキングステーションの切換え動作を示すフローチャートである。
【図１６】情報処理装置の上板に設けられた開閉蓋とＵＳＢデバイスコントローラのＵＳＢコネクタとのメカニズムを説明する図である。
【図１７】情報処理装置の上板に設けられた開閉蓋とＵＳＢデバイスコントローラのＵＳＢコネクタとのメカニズムを説明する図である。
【図１８】ドッキングステーションを介して情報処理装置がサポートするサービスが検索されたときの、電子カメラ背面の表示部の表示画面の一例を示す図である。
【符号の説明】
【０１３１】
１      電子カメラ
２      ドッキングステーション
３      情報処理装置
４      ＵＳＢ／ＨＵＢ
５      ＵＳＢホストコントローラ
６      ＵＳＢコネクタ
７      開閉蓋
８      光ディスク
９      トレイ
１０    プリンタ部
１１    カセット
１２    カセット挿入口
１３    切換えスイッチ
１４    ＬＥＤ表示部
１５    ＰＣ
１６    ＵＳＢデバイスコントローラ
１７    表示部
１８    操作部
１９    直接操作部
２０    撮影部
２１    ディスクドライブ部
２２    記録媒体
２３    メモリ
２４    ＵＳＢデバイスコントローラ
２５    上下左右キー
２６    ＯＫキー
２７    キャンセルキー
２８    アイコン
２９    切換スイッチ部
３０    入出力端子
３１、３２    アイコン
３３    制御回路
３４    サービス検索部
３５    ディスカバリ部
３６    直接操作部
３７    メモリ
３８    表示部
３９    電源部
４０    制御回路
４１    サービス検索部
４２    ディスカバリ部
４３    直接操作部
４４    メモリ
４５    ＵＳＢホストコントローラ
４６    信号処理部
４７    第１のＴＶ用端子
４８    カメラ設置状態検出部
４９    操作／表示部
５０    第２のＴＶ用端子
５１    ＰＣ端子
５２    第１の遮蔽板
５３    充電回路
５４    電池
５５    制御回路
５６    カメラ本体
５７    把持部
５８    セルフタイマ用報知窓
５９    報知光透過窓
６０    ダブルヒンジ
６１    ズームレバー
６２    シャッタボタン
６３    リモコン用受光部
６４    カメラ接続部
６５    撮影レンズ窓
６６    ストロボ窓
６７    マイク
６８    電源ボタン
６９    モードダイヤル
７０    十字ボタン
７１    三脚用ネジ穴
７２    ドッキングステーションの本体
７３    ドッキングステーションの収納部
７４    載置面
７５    側壁
７６    回動部
７７    第１の接続部
７８    接続禁止部材
７９    切り欠き部
８０    取り付けねじ
８１    勘合穴
８２    締め付けようナット
８３    鋼球
８４    板ばね
８５    小ねじ
８６    板ばね
８７    接触端子
８８    マイクロスイッチ
９０    鋼球
９１    半円球状の凹み（窪み）
９２    軸部
９３    Ｅリング
９４    圧縮ばね
９５    カバー
９６    磁気感応センサ
９７    永久磁石
９８    突起部
９９    窪み部
１００  上板
１０１  スイッチ端子
１０２  連結端子
１０３  第２の遮蔽板
１０４  ＡＣ／ＤＣ変換回路
１０５  開閉蓋用歯車
１０６  保護カバー
１０７  コネクタ本体
１０８  専用ケーブル
１０９  第１載置部材
１１０  第２載置部材
１１１  捻りコイルバネ
１１２  コネクタ側歯車
１１３  固定ネジ
１１４  コネクタ設置枠
１１５  伝達用歯車
１１６  マーク
１１７  電源ＳＷ
１１８  イジェクトボタン
１１９  ディスカバリ部
１２０  サービス検索部
１２１  第２の接続部
１２２  ＵＳＢ切換スイッチ
１２３  第１の電力供給用端子
１２４  ＡＣ電源ケーブル端子
１２５  第２の電力供給用端子
【図１】
2006148859.tif 000003
【図２】
2006148859.tif 000004
【図５】
2006148859.tif 000005
【図６】
2006148859.tif 000006
【図７】
2006148859.tif 000007
【図８】
2006148859.tif 000008
【図９】
2006148859.tif 000009
【図１０】
2006148859.tif 000010
【図１１】
2006148859.tif 000011
【図１２】
2006148859.tif 000012
【図１３】
2006148859.tif 000013
【図１４】
2006148859.tif 000014
【図１５】
2006148859.tif 000015
【図１６】
2006148859.tif 000016
【図１７】
2006148859.tif 000017
【図１８】
2006148859.tif 000018
【図３】
2006148859.tif 000019
【図４】
2006148859.tif 000020